(57)【特許請求の範囲】
【請求項１】
内容積Ｖ０（断面積Ｓ０および高さｈ０）および重量Ｗ０が既知の容器内にフレッシュコンクリートを充填して、その全体重量値Ｗを測定して、前記フレッシュコンクリートの重量値ＷＣを求めるとともに、前記内容積Ｖ０と前記フレッシュコンクリートの充填量との関係から前記フレッシュコンクリートの容積値ＶＣを求め、前記重量値ＷＣを前記容積値ＶＣで除算することにより前記フレッシュコンクリートの単位容積質量を求める測定方法において、
前記フレッシュコンクリートの天端高さｈを、前記容器を回転させながら距離計で測定し、測定された天端高さｈと前記容器の高さｈ０とに基づいて、前記フレッシュコンクリートの容積値ＶＣを求める測定方法であって、前記距離計は、前記容器の１回転毎に中心側に移動させることを特徴とするフレッシュコンクリートの単位容積質量測定方法。
【発明の詳細な説明】
【０００１】
【発明の属する技術分野】
本発明は、フレッシュコンクリートの単位容積質量の測定方法に関するものである。
【０００２】
【従来の技術】
フレッシュコンクリートの単位容積質量の測定は、一般に、内容積Ｖ0および重量Ｗ0が既知の容器内にフレッシュコンクリートを以下のように充填して行っている。
【０００３】
単位容積質量を求めるためには、フレッシュコンクリートの重量値ＷCと、その容積値ＶCを求める必要がある。フレッシュコンクリートの重量値ＷCは、容器の重量Ｗ0が既知なので、容器内にフレッシュコンクリートを充填して、その全体重量値Ｗを測定すると、ＷC＝Ｗ−Ｗ0で求めることができる。
【０００４】
一方、フレッシュコンクリートの容積値ＶCは、容器内にフレッシュコンクリートを完全に満たせば、容器の内容積Ｖ0と同じになるので、ＶC＝Ｖ0として求めることができ、ＷC，ＶCが求められると、フレッシュコンクリートの単位容積質量は、ＷC／ＶCとして求められる。
【０００５】
しかしながら、このような従来の単位容積質量の測定方法には、以下に説明する問題があった。
【０００６】
【発明が解決しようとする課題】
すなわち、上述した単位容積質量の方法では、ＶC＝Ｖ0の関係を満足させるためには、容器内にフレッシュコンクリートを詰めた後に、コンクリートの天端をストレートエッジを用いて、すり切るようにしなければならない。
【０００７】
ところが、このようなすり切り操作は、非常に面倒である上に、測定精度が低下する一因となっていた。
【０００８】
つまり、すり切り操作を行うと、コンクリート中のモルタルのみが容器外に出易く、モルタルのみが排出されると、コンクリート配合が実体と異なってくる。
【０００９】
また、すり切り操作を行う際に、コンクリートの天端が、容器の天端より低くても、水の表面張力でモルタルがストレートエッジ側に引き寄せられ、コンクリートの天端が、容器の天端と同一であると錯誤する場合があり、このまま測定が行われると、単位容積質量に誤差が含まれる。
【００１０】
本発明は、このような従来の問題点に鑑みてなされたものであって、その目的とするところは、面倒な操作や作業を伴うことなく、測定精度を向上させることができるフレッシュコンクリートの単位容積質量の測定方法を提供することにある。
【００１１】
【課題を解決するための手段】
上記目的を達成するために、本発明は、内容積Ｖ０（断面積Ｓ０および高さｈ０）および重量Ｗ０が既知の容器内にフレッシュコンクリートを充填して、その全体重量値Ｗを測定して、前記フレッシュコンクリートの重量値ＷＣを求めるとともに、前記内容積Ｖ０と前記フレッシュコンクリートの充填量との関係から前記フレッシュコンクリートの容積値ＶＣを求め、前記重量値ＷＣを前記容積値ＶＣで除算することにより前記フレッシュコンクリートの単位容積質量を求める測定方法において、前記フレッシュコンクリートの天端高さｈを、前記容器を回転させながら距離計で測定し、測定された天端高さｈと前記容器の高さｈ０とに基づいて、前記フレッシュコンクリートの容積値ＶＣを求める測定方法であって、前記距離計は、前記容器の１回転毎に中心側に移動させるようにした。
以上のように構成されたフレッシュコンクリートの単位容積質量の測定方法によれば、容器内に所定の高さだけフレッシュコンクリートを充填すれば、天端のすり切り操作を行うことなく、測定が可能になり、すり切り操作に伴う、配合の変化や、充填するフレッシュコンクリートの過不足に伴う精度の低下を防ぐことができる。
【００１２】
【発明の実施の形態】
以下、本発明の好ましい実施の形態について添付図面を参照して詳細に説明する。図３，４は、本発明にかかるフレッシュコンクリートの単位容積質量の測定方法の一実施例を示している。
【００１３】
図１，２は、同測定方法に使用される容器１０の詳細であり、容器１０は、容器本体１２と密閉蓋１４とを有している。
【００１４】
容器本体１２は、内容積Ｖ0および重量Ｗ0が既知であって、上端が開口した有底円筒形状のものであり、上端開口縁には、フランジ部１２ａが形成されている。
【００１５】
密閉蓋１４は、内容積Ｖ1および重量Ｗ1が既知で、容器本体１２のフランジ部１２ａと接合するフランジ部１４ａが下端外周縁に設けられた円錐台部１４ｂと、円錐台部１４ｂの上端に垂設され、上端が開口した円筒部１４ｃとを備え、全体形状が概略逆ロート状に形成されいる。
【００１６】
円錐台部１４ｂの傾斜面には、開閉可能な注水口１６が設けられている。円筒部１４ｃには、内部の空気を排出した後に、容器１０内を密封するための開閉弁２０が設けられている。
【００１７】
なお、図１，２においては、密閉蓋１４の円錐台部１４ｂの傾斜角度を図示の都合上、概略９０°程度に拡開した状態にしているが、実際には、この傾斜角度は、概略１８０°に近い平坦な角度に設定する。
【００１８】
このような容器１０を使用してフレッシュコンクリートの単位容積質量を測定する際には、まず、図１（ａ）に示すように、容器本体１２内に測定対象フレッシュコンクリートＣを充填する。
【００１９】
フレッシュコンクリートＣの充填状態は、容器本体１２の天端近傍まで充填する必要はなく、任意の高さでよく、すり切り操作を行う必要はない。
【００２６】
図３および図４に示した測定方法では、内容積Ｖ０（断面積Ｓ０および高さｈ０）および重量Ｗ０が既知で、上端が開口し、有底円筒状の容器１０ａ内に、測定対象であるフレッシュコンクリートＣを充填されると、以下のような手順で測定が行われる。
【００２７】
本実施例の場合には、フレッシュコンクリートＣを容器１０内に充填した状態で、重量計２２により、このときの重量Ｗ’（＝ＷC＋Ｗ0）が測定される。一方、フレッシュコンクリートＣの容積値ＶCは、図４に示す距離計４０を用いて求められる。
【００２８】
同図に示した距離計４０は、一対の支柱４２と、支柱４２の上部側に渡設されたガイドロッド４４およびネジロッド４６とを備え、ガイドロッド４４およびネジロッド４６にスライダー４８が装着されている。
【００２９】
スライダー４８には、レーザ光を発射し、発射したレーザ光の反射光を受けて、反射地点までの距離を測定するレーザ距離計５０が搭載されている。ネジロッド４６とスライダー４８とは、ボールネジ結合になっていて、ネジロッド４６の端部に設けられたモータ５２を回転することにより、スライダー４８が、ガイドロッド４４に沿って移動するようになっている。
【００３０】
このときのスライダー４８の移動距離は、モータ５２に設けられているエンコーダ５４により検知される。フレッシュコンクリートＣの容積値ＶCを求める際には、容器１０ａがターンテーブル６０上に載置され、レーザ距離計５０が、容器１０ａの中心を通る直径上を移動するように位置決めセットされる。
【００３１】
そして、容器１０ａをターンテーブル６０により回転させながら、スライダー４８を横移動させて、レーザ距離計５０による距離の測定が行われる。
【００３２】
この場合の距離測定は、まず、容器１０ａ一方の縁との間の距離ｄ１を測定し、その後フレッシュコンクリートＣの天端との間の距離ｄｎの測定が行われ、最後に、容器１０ａの他方の縁との間の距離ｄ２が測定される。
【００３３】
レーザ距離計５０による天端との間の距離ｄｎの測定は、例えば、ターンテーブル６０により容器１０ａが一回転する時間は、スライダー４８を横移動させずに（または、微小横移動させながら）、１回転毎に所定の距離だけ横移動させるようにし、測定間隔は、例えば、２０回／１秒程度に設定する。
【００３４】
このような測定方法によれば、コンクリートｃの天端を中心側に向けて渦巻き状に測定することができ、得られた多数の測定値ｄｎの平均を求め、この値を天端値ｄとする。
【００３５】
天端値ｄが求まると、この値からｄ１とｄ２との和の平均値を除算することにより、コンクリートｃの天端から容器１０ａの縁までの高さｈが求められる。高さｈが求められると、容器１０ａの断面積Ｓ0および高さｈ0が既知なので、コンクリートＣの容積値ＶCは、Ｓ0×（ｈ0−ｈ）から求めることができる。
【００３６】
この場合、コンクリートｃの重量値ＷCは、Ｗ’−Ｗ0で求めることができ、フレッシュコンクリートＣの単位容積質量は、重量値ＷCを容積値ＶCで除算することにより求めることができる。
【００３７】
さて、以上のような測定方法によれば、上記実施例と同様に、容器１０ａ内に所定の高さだけフレッシュコンクリートＣを充填すれば、天端のすり切り操作を行うことなく、測定が可能になり、すり切り操作に伴う、配合の変化や、充填するフレッシュコンクリートＣの過不足に伴う精度の低下を防ぐことができる。
【００３８】
なお、上記実施例で示した距離計４０は、レーザ距離計５０を用いる場合だけでなく、例えば、超音波ないしは電波距離計や赤外線距離計などであってもよい。
【００３９】
【発明の効果】
以上、実施例で詳細に説明したように、本発明にかかるフレッシュコンクリートの単位容積質量の測定方法によれば、面倒な操作や作業を伴うことなく、測定精度を向上させることができる。
【図面の簡単な説明】
【図１】  本発明にかかるフレッシュコンクリートの単位容積質量測定方法の測定手順の概略説明図である。
【図２】  図１の測定方法で使用する容器の断面説明図である。
【図３】  本発明にかかるフレッシュコンクリートの単位容積質量測定方法の一実施例の測定手順の最初の状態を示す断面説明図である。
【図４】    図３の測定手順に引き続いて行われる測定手順の説明図である。
【図１】
0003968821.tif 000002
【図２】
0003968821.tif 000003
【図３】
0003968821.tif 000004
【図４】
0003968821.tif 000005